(57)【要約】動物が発情していることを示すために用いる表示装置。この装置は動物が乗り、動物が発情していることを検知し且つ表示するために、動物の臀部に固定されるように構成されている。この装置は接着剤層により動物に固定される。接着剤層の上面には表示層が積層され、その上はフラッドコート層で覆われている。このフラッドコート層は第１の動物に第２の動物が乗った際に分離されるようにされている。フラッドコート層が分離すると、表示層が露出し、第１の動物が乗られたことを示し、第１の動物が発情していることを示す。フラッドコート層は視認性が高く、遠くからも見ることができる。
2004536613.tif 000002
【特許請求の範囲】
【請求項１】
第１の動物が発情したことを示すための、第１の動物の臀部に固定される発情表示機であって、
この表示機を第１の動物に固定するための第１の接着剤層、
表示層、及び
表示層に分離可能に固定されかつ第２の動物が第１の動物に乗った際にこの第２の動物によって分離されるフラッドコート層
を含む発情表示機。
【請求項２】
フラッドコート層上に配置された第２の接着剤層及びこの第２の接着剤層上に配置されたライナーをさらに含む、請求項１記載の表示機。
【請求項３】
フラッドコート層が剥離するように表示層に分離可能に固定されている、請求項１記載の表示機。
【請求項４】
フラッドコート層が摩擦によって表示層から分離される、請求項１記載の表示機。
【請求項５】
表示層がビニル層である、請求項１記載の表示機。
【請求項６】
表示層がクリスタルホイルである、請求項１記載の表示機。
【請求項７】
フラッドコート層が、第１の動物に乗った第２の動物によって所定の圧力が加えられた際にのみ分離される、請求項１記載の表示機。
【請求項８】
第１の動物が発情したことを示すための、第１の動物の臀部に固定される多数の発情表示機を供給する装置であって、
多数の発情表示機、ここで各表示機は、第１の動物に固定するための第１の接着剤層、表示層、及び表示層に分離可能に固定されかつ第２の動物が第１の動物に乗った際にこの第２の動物によって分離されるフラッドコート層を含む、及び
多数の表示機を保持するための基部、
を含み、多数の表示機が１つのシートとして構成されている装置。
【請求項９】
前記基部がシリンダーであり、シートがこのシリンダーに巻かれている、請求項８記載の装置。
【請求項１０】
多数の表示機が隣接する表示機の間のミシン目によって分離される、請求項９記載の装置。
【請求項１１】
多数の表示機が、必要なサイズの表示機にシートを切り取ることにより分離されるように構成されている、請求項９記載の装置。
【請求項１２】
前記基部が平坦な表面である、請求項８記載の装置。
【請求項１３】
第１の動物が発情したことを示すための、第１の動物の臀部に固定される発情表示機であって、
上面及び底面を有する第１の接着剤層、この接着剤層は第１の動物にこの表示機を固定するよう構成されている、
前記接着剤層の底面に設けられた分離可能なライナー、
上面及び底面を有するクリスタルホイル表示層、この表示層は接着剤層の上面に配置されている、及び
表示層に分離可能に固定されかつ第２の動物が第１の動物に乗った際にこの第２の動物によって加えられる所定の圧力により剥離されるフラッドコート層、
を含む表示機。
【請求項１４】
第１の動物が発情したことを示すための、第１の動物の臀部に固定される多数の発情表示機を供給する装置であって、
多数の発情表示機、ここで各表示機は、第１の動物に固定するための第１の接着剤層、表示層、及び表示層に分離可能に固定されかつ第２の動物が第１の動物に乗った際にこの第２の動物によって分離されるフラッドコート層を含む、及び
多数の表示機を保持するためのシリンダー、を含み、多数の表示機が１つのシートとして構成されており、このシートはシリンダーに巻き取られており、表示層のロールを与え、表示機シートは必要なサイズに切り取られる、装置。
【発明の詳細な説明】
【技術分野】
【０００１】
本発明は、動物が発情した際に、その発情を検知するために用いられる表示装置に関し、詳細には、第１の動物の上に第２の動物が乗り、それにより第１の動物が発情したことを示すための、第１の動物に装着される表示機に関する。本発明はさらに、特定の要求を独立に満足するようにされる多数の表示機を提供する装置に関する。
【背景技術】
【０００２】
畜産の分野において、家畜類を選択的に繁殖させることが一般に望ましい。これは、選ばれた動物を交尾させることにより、動物を人工授精させることにより、又は他の適当な方法により行われる。しかしながら、いずれの方法においても、動物を受精させるためには動物が発情状態にあることを検知する必要がある。発情周期は短期間であり、受精はこの期間内に行わなければならない。発情の正確な検出は従来より問題となっていた。
【０００３】
一般に、動物、例えば雌牛が発情していないとき、雌牛は背に乗られることを許さない。逆に、雌牛が発情していると、雌牛は立ち止まり、かなりの時間、他の動物が乗れるようにする傾向を示す。背に乗られた動物が乗っている動物を約５秒間乗せている場合、「スタンディングマウント」がおこり、雌牛は立位発情にあると分類される。この状態は発情の初期の段階におこる。最も頻繁におこるマウンティングは雄牛にみられるが、マウンティングは他の動物にもみられる。従って、他の動物による雌牛への繰り返しマウンティングは、雌牛が発情状態にあることのよい指標である。
【発明の開示】
【発明が解決しようとする課題】
【０００４】
雌牛が発情しているかどうかの識別は、従来観察によって行われ、雌牛が群れから離れてマウンティングを許すことを観察していた。発情期間は短いため、発情した雌を識別し、群れから離すために群れの目視観察を用いてもよいが、このような目視観察は少なくとも１日に２回は行わねばならず、受精される動物の隔離を速やかに行わねばならない。群れの目視観察はしばしば広範囲にわたり、一般に効率的ではない。さらに、表示装置を用いないと、群れを定期的に目視観察しない限り、多くの動物において発情周期が見逃されるであろう。
【０００５】
動物が背に乗られたことを示すことによって動物が発情していることを示すために、従来様々な装置が開発されてきた。背骨と寛骨の間の動物の背中頂部に取り付けられ、他の動物が発情している動物に乗ると作動する自動表示機が用いられてきた。一般に、この表示機は乗りかかる動物の胸によって加えられる圧力をあてにしている。このタイプの一般的な発情表示機はマーカー液体の容器を備え、乗りかかった圧力によって圧縮され、液体の一部もしくはすべてを排出し、それによって乗られた動物をマークするものである。この装置はマーカー液体の浸出を受けることが多い。これはその寿命を短くしてしまう。さらに、従来の装置は複雑な染料収納装置を備え、これは望ましくないほど複雑でかつ高価である。
【課題を解決するための手段】
【０００６】
本発明は、第１の動物が発情したことを検知するための、第１の動物の外部に装着する表示装置である。この装置は、第１の動物の臀部に固定され、この第１の動物に第２の動物が乗ったことを表示し、それにより第１の動物が発情していることを示すものである。この装置は、通常はフラッドコートに隠れているが、第１の動物に第２の動物が乗ると露出する表示層を提供する。
【０００７】
この発情表示機は、表示層、表示層の底面に配置された第１の接着剤層、及び表示層の上面に分離可能に固定されたフラッドコート層を有する。第１の接着剤層の表示層と反対側はライナーで覆ってもよい。第１の接着剤層を露出することにより、この表示機は第１の動物の臀部に固定することができる。フラッドコート層は通常、第１の動物に第２の動物が乗ることにより分離される。これによりフラッドコート層が第２の動物に接着するか又はフラッドコート層が第２の動物に摩擦により付着することになる。フラッドコート層が分離されると表示層が露出する。こうして、表示層が露出し、第１の動物が発情していることを表示する。
【０００８】
フラッドコート層は所定の圧力が加えられると分離されるようになっている。この圧力は第１の動物に第２の動物が乗ることによって加えられる力と一致するように選択される。表示機に少なくとも所定の圧力が加わることによりフラッドコート層を分離し、表示層を露出するようにすることにより、第２の動物がその頭を装置に乗せた場合に起こるような、実際のマウンティングの間に生ずる圧力よりも低い圧力で偶発的に表示層が露出することを防ぐことができる。
【０００９】
表示層は天候にかかわらず遠くからも見ることができるようにされている。観察者は表示層を見て、フラッドコート層が分離されていることを知ることができる。その後、第１の動物は受精させるために群れから隔離される。
【００１０】
このように、発情表示機は、第１の動物に第２の動物が乗ったことを示すことにより、第１の動物が発情していることを示す方法を提供する。この表示機は信頼性が高く、観察容易であり、天候に影響されない。さらに、この表示機は機械的にシンプルであり、耐久性があり、安価である。
【００１１】
本発明の好ましい態様は、表示機のサイズを特定の必要性に応じて選択することができる、多数の発情表示機を安価に提供する装置を提供する。この態様において、発情表示機は個々のユニットもしくはピースではなく１枚のシートとして構成されている。この１枚のシートは必要な大きさ及び／又は形状に切り取られる。１例として、ロールにされた表示機のシートが提供される。このシートはロールから広げられ、必要に応じて切り取られる。このロールは比較的安価であり、発情表示機の使用者に融通性を与える。さらに、このロールは場所をとらず、多数の発情表示機の保管に便利である。
【発明を実施するための最良の形態】
【００１２】
本発明は、第１の動物が発情していることを検知し、表示する簡単かつ耐久性のある表示装置を提供する。本明細書において、例示として雌牛を用いているが、本発明は馬、羊、ヤギ、ブタ等の他の動物の発情の検出にも容易に適用できることは理解できるであろう。
【００１３】
図１は本発明の第１の態様の分解側面図を示す。この装置は第１の動物に接着させるためにパッチとして提供される。このパッチは第１の動物に第２の動物が乗った際に目に見える変化を示すようにされている。通常、第１の動物に第２の動物が乗ることは、第１の動物が発情していることを示す。このパッチは第１の動物の尾の根元の上の臀部に貼り付けられる。
【００１４】
発情表示機は多数の層から構成されている。表示層１２は表示機の中間にある。表示層１２は第１の動物に付着させるため、その底部に接着剤１４を有する。フラッドコート１６は表示層１２の上部に配置され、フラッドコート１６が分離されるまで表示層１２を隠している。第１の動物に表示機１０を取り付ける前に、ライナー１８を接着剤及びフラッドコートに沿って配置する。
【００１５】
表示層１２は、一定の距離から見ることができ、若い雌牛の自然の色をカモフラージュしないよう目立つようにされている。所望により、表示層１２は反射もしくはプリズムホイルであってもよい。反射ホイルの例は、Spectratek (Los Angeles, California, www.spectratek.net/productlines/holographic/patterns/index.html)により製造されている。この反射ホイルは天候（晴天もしくは曇天）にもかかわらず高い視認性を与える。光が存在すると、反射ホイルは反射する。
【００１６】
第１の接着剤層１４は表示層１２、従って表示装置１０を第１の動物に固定する。第１の接着剤層１４に用いる接着剤は、第２の動物が乗った後もこの装置が第１の動物に固定されているように十分な固定を提供しなければならない。望ましくは、この接着剤は動物の皮革に対して優れた初期粘着力及び優れた接着力を与える。この接着剤は、例えば、Wausau Coated Products製のTL-1000のようなゴムベース接着剤であってよい。プレコート層として第１の接着剤層１４を提供すると、第１の動物への表示機の適用が容易になる。しかし、必要により、表示機１０は糊もしくは他の接着剤の適用により固定してもよい。プレコートされた接着剤層を第１の接着剤層１４として用いる場合、接着剤の汚れ又は選択しない表面への接着を防ぐために剥離可能なライナー１８を設けることが好ましい。この装置を第１の動物に固定する場合、ライナーを除くことにより接着剤を露出させる。こうして接着剤層１４が露出し、表示機１０は動物の尾の根元の背骨上に固定される。
【００１７】
所望により、ライナーは第１の接着剤層の上表面上に配置される。
表示層１２上にはフラッドコート１６（又は「マスク接着剤」）層が配置され、これを除くと表示層１２が露出し、動物が乗られたことを示し、これにより動物が発情していることを示す。フラッドコート層１６を分離させ、表示層１２を露出させるため、フラッドコート層１６は好ましくは不透明な層であり、置かれている場合には表示層１２を完全に隠す。好ましい態様において、フラッドコート層１６は黒色の層である。フラッドコート１６は好ましくは剥離可能であり、例えばエマルジョンアクリル剥離可能／再配置可能な接着剤である。フラッドコート１６は表示層１２に接着するが、表示層１２を裂くことなく又は動物から表示装置を剥がすことなく表示層１２から剥離される。好ましくは、フラッドコート層１６はそれ自身「剥離」接着剤であり、フラッドコート層１６を表示層１２に接着するためにさらなる接着剤は必要ない。接着剤フラッドコート層１６は優れた初期粘着力及び中程度の接着力を有するべきである。従って、例えばWausau Coated Products製のR-201ブラックアウト接着剤をフラッドコート層として用いることができる。または、フラッドコート１６は、フラッドコート層の底面もしくは表示層１２の上面に別の接着剤を塗布することによって表示層１２に接着してもよい。しかし、そのような接着剤は所定の圧力を表示装置１０に加えた際に表示層１２からフラッドコート１６を剥離できるようであるべきである。
【００１８】
好ましい態様において、フラドコート層１６を分離させ、表示層１２を露出させるため、所定の圧力を表示装置１０に加えなければならない。この圧力は上に乗った動物に対してフラッドコート１６を十分に接着させ、それによりフラッドコート１６を分離させるに必要な圧力である。必要な圧力は、表示装置を用いる動物の種類によって異なり、約30ポンド〜約300もしくは400ポンドである。
【００１９】
フラッドコート層１６の汚染又は選択しない表面へのフラッドコート１６の接着を防ぐために、所望によりフラッドコート１６の接着剤面に表面ライナー２０を設けてもよい。この表面ライナー２０は、好ましくは第１の動物に表示装置１０を固定した際に除去される剥離層である。
【００２０】
他の態様は、表示層１２に接着するが、第１の動物に乗った第２の動物の摩擦により剥がれるゴム引きコーティングとしてフラッドコート１６を形成する。
【００２１】
図２は、表示層がビニル基材である本発明の他の態様を示している。好ましくは、ビニルシート２は白色の可撓性ビニルであり、これは他の色であってもよい。ビニルシートが白色である場合、好ましくは一定の距離から見ることができ、雌牛の自然の色をカモフラージュしない高視認性の顔料でコートされている。または、このコーティングは着色されたコーティングであってもよい。この態様において用いられるビニル基材は、例えばAkzo Nobel Inks Corp.(Plymouth, Minnesota)製のAkzo Nobel SS BW6 Warm Redにより着色されたFasson Roll North America (www.fasson.com)製のFasson(商標）4 Mil White Flexible Vinyl TC/S730/50#SCKであってよい。
【００２２】
動物の皮革に接着させるに適したゴムベース永久接着剤１８は好ましくはビニル表示層の皮革接着表面に適用される。この接着剤は、例えばFasson Spec.#40087ビニル上にあらかじめ塗布されたFasson S730であってよい。
【００２３】
図３に示されているように、多数の本発明の表示機を別々のユニットもしくはピースではなく、１つのシート２８としてもよい。この１つのシート２８は平坦であってもよく、シリンダー３０に巻かれていてもよい。このシートは必要に応じて様々な大きさ及び／又は形状に切り取ることができる。このようにこのシートは、表示機の大きさに適合させることができる。本発明の好ましい態様は、多数の表示機を提供する装置を含み、表示機が１つのシート２８として提供される。この１つのシート２８はシリンダー３０に巻き取られている。このシリンダー３０は表示機シートのロールを与え、そこから広げられ、必要に応じて切り取られる。得られるロールは特定の用途に必要な大きさに切り取ることができる多数の表示機を提供し、保存を簡単にする。
【００２４】
好ましくは、この１つのシートは表示機の使用者によって必要な大きさ及び形状に簡単に切り取られる。しかし、所望により、このシートは個々の表示機の間にミシン目を設けてもよい。
【００２５】
図４は、雌牛３８上に配置した本発明の１つの態様に係る発情表示機３６を示している。図４に示されているように、この装置は、動物の臀部において、尾の付け根の背骨上に固定されている。
【００２６】
この装置を装着した雌牛が発情すると、群れからの他の牛が乗りかかる。他の牛がこの装置を装着している雌牛に乗ると、その乗った牛の前部にフラッドコートが付着し、表示層からフラッドコートが剥がれる。または、フラッドコートがその外面に接着剤を有しない場合（すなわち、表示層にのみ接着している場合）、乗った牛による摩擦がマスク層を剥がすであろう。乗られた雌牛は表示層を装着したままであり、一定の距離から視認することができ、雌牛が発情していることが示される。次いでこの雌牛は受精もしくは交配のために群れから引き離される。フラッドコートは手によって、溶剤により、毛をそることにより、又は他の適当な手段により乗った牛から剥がされる。
【００２７】
本発明に係る特定の態様を説明したが、本発明はこれに限定されず、当業者に周知の多くの変形が可能であることが理解されよう。従って、本発明は、添付する請求の範囲に包含される変形を含む。
【図面の簡単な説明】
【００２８】
【図１】本発明の第１の態様の分解側面図である。
【図２】本発明の第２の態様の分解側面図である。
【図３】本発明の好ましい態様の斜視図である。
【図４】動物に装着された、本発明の好ましい態様の斜視図である。
【国際公開パンフレット】
2004536613.tif 000003
2004536613.tif 000004
2004536613.tif 000005
2004536613.tif 000006
2004536613.tif 000007
2004536613.tif 000008
2004536613.tif 000009
2004536613.tif 000010
2004536613.tif 000011
2004536613.tif 000012
2004536613.tif 000013
2004536613.tif 000014
2004536613.tif 000015
2004536613.tif 000016
2004536613.tif 000017
【国際公開パンフレット（コレクトバージョン）】
2004536613.tif 000018
【国際調査報告】
2004536613.tif 000019